(57)【要約】【課題】本発明は、水中での近接撮影を行う場合に、被写体にカメラ用水中ケースのレンズ被覆筒部の影を生じさせることがないカメラ用水中ケースに用いる近距離撮影用バウンスアダプタを提供する。【解決手段】本発明は、内蔵するカメラ３１のレンズ部３２を対物レンズに対する光透過可能な状態で覆うレンズ被覆筒部２３と、カメラ内蔵ストロボ光の透過窓２４と、ケースシュー部２５とを備えるとともに、内蔵するカメラ３１の外周全体を覆うカメラ用水中ケースに用いる近距離撮影用バウンスアダプタ１であって、ケースシュー部２５に対して着脱可能に装着される取付基部２と、この取付基部２により基端１１ａ側が回動可能に支持され、突出端１１ｂ側が前記レンズ被覆筒部２３の前方位置からケースシュー部２５の上方位置に亘る範囲に変位してレンズ被覆筒部２３に臨む面に設けた反射面１１ｃにより前記透過窓２４を透過するストロボ光の照射領域を変更するバウンスプレート１１と、を有するものである。【選択図】図１
2009014879.tif 000002
【特許請求の範囲】
【請求項１】
内蔵するカメラのレンズ部を対物レンズに対する光透過可能な状態で覆うレンズ被覆筒部と、カメラ内蔵ストロボ光の透過窓と、ケースシュー部とを備えるとともに、内蔵するカメラの外周全体を覆うカメラ用水中ケースに用いる近距離撮影用バウンスアダプタであって、
前記ケースシュー部に対して着脱可能に装着される取付基部と、
この取付基部により基端側が回動可能に支持され、突出端側が前記レンズ被覆筒部の前方位置からケースシュー部の上方位置に亘る範囲に変位してレンズ被覆筒部に臨む面に設けた反射面により前記透過窓を透過するカメラ内蔵ストロボ光の照射領域を変更するバウンスプレートと、
を有することを特徴とするカメラ用水中ケースに用いる近距離撮影用バウンスアダプタ。
【請求項２】
内蔵するカメラのレンズ部を対物レンズに対する光透過可能な状態で覆うレンズ被覆筒部と、カメラ内蔵ストロボ光の透過窓と、ケースシュー部とを下部から上部に一列に配列するとともに、内蔵するカメラの外周全体を覆うカメラ用水中ケースに用いる近距離撮影用バウンスアダプタであって、
前記ケースシュー部に対して着脱可能に装着される取付基部と、
この取付基部により基端側が回動可能に支持され、突出端側が前記レンズ被覆筒部の前方位置からケースシュー部の上方位置に亘る範囲に変位してレンズ被覆筒部に臨む面に設けた反射面により前記透過窓を透過するカメラ内蔵ストロボ光を上から下へ向けて反射しその照射領域を変更するバウンスプレートと、
を有することを特徴とするカメラ用水中ケースに用いる近距離撮影用バウンスアダプタ。
【請求項３】
内蔵するカメラのレンズ部を対物レンズに対する光透過可能な状態で覆うレンズ被覆筒部と、カメラ内蔵ストロボ光の透過窓と、ケースシュー部とを下部から上部に一列に配列するとともに、内蔵するカメラの外周全体を覆うカメラ用水中ケースに用いる近距離撮影用バウンスアダプタであって、
前記ケースシュー部に対して着脱可能に装着される取付基部と、
この取付基部の一部として設けた前記カメラ用水中ケースの幅方向に沿った軸支部により基端側が上下方向に回動可能に支持され、突出端側が前記レンズ被覆筒部の前方位置からケースシュー部の上方位置に亘る範囲に変位してレンズ被覆筒部に臨む面に設けた反射面により前記透過窓を透過するカメラ内蔵ストロボ光を上から下へ向けて反射しその照射領域を変更する突出端側が大寸法で、基端側が小寸法の台形状に形成したバウンスプレートと、
を有することを特徴とするカメラ用水中ケースに用いる近距離撮影用バウンスアダプタ。
【請求項４】
内蔵するカメラのレンズ部を対物レンズに対する光透過可能な状態で覆うレンズ被覆筒部と、カメラ内蔵ストロボ光の透過窓と、ケースシュー部とを備えるとともに、内蔵するカメラの外周全体を覆うカメラ用水中ケースに用いる近距離撮影用バウンスアダプタであって、
前記ケースシュー部に対して着脱可能に装着されるとともに、前記カメラの対物レンズの光軸と同方向に沿う配置の第１軸支部及びこの第１軸支部により回動可能に支持された前記カメラ用水中ケースの幅方向に沿う配置の第２軸支部を備える取付基部と、
前記第２軸支部により基端側が上下方向に回動可能に支持され、突出端側が前記レンズ被覆筒部の前方位置からケースシュー部の上方位置に亘る範囲に変位するとともに、第２軸支部とともに前記第１軸支部により回動支持されてその軸線の回りを回動変位し、前記レンズ被覆筒部に臨む面に設けた反射面により前記透過窓を透過するカメラ内蔵ストロボ光を上から下へ向けて又は斜下方へ反射してその照射領域を変更するバウンスプレートと、
を有することを特徴とするカメラ用水中ケースに用いる近距離撮影用バウンスアダプタ。
【発明の詳細な説明】
【技術分野】
【０００１】
本発明は、カメラ用水中ケースに用いる近距離撮影用バウンスアダプタに関するものである。
【背景技術】
【０００２】
例えば、図７に示すように内蔵ストロボ５２を有するデジタルカメラ５１をカメラ用水中ケース６１内に収納し、この状態で水中にて被写体７１の撮影を行う場合、水中においては光量が少ないことから内蔵ストロボ５２を発光させて撮影を実行することが通常である。
【０００３】
この場合、被写体７１と、カメラ用水中ケース６１におけるレンズ被覆筒部６２の先端面との距離が例えば１０ｃｍ等のような近距離撮影の際には、内蔵ストロボ５２からのストロボ光の一部がレンズ被覆筒部６２により遮られて被写体７１を明るく照射することができない状態が生じ、この結果、図８に示すように、被写体７１の撮影画像８１においてレンズ被覆筒部６２の影部分６２ａが含まれることになり、良質な撮影画像８１を得ることができないという問題があった。尚、図６においてθは、内蔵ストロボのストロボ光照射角である。
【０００４】
特許文献１には、ストロボ内蔵カメラを収容する防水ケースに対して、内蔵したストロボからの光を近接撮影用レンズの前方近傍位置までガイドする光ガイド手段を着脱可能に備えた水中撮影用アダプタが提案されている。
【０００５】
この特許文献１の場合、近接撮影用レンズの前方近傍位置までストロボからの光をガイドし得るものの、内蔵したストロボからの光の被写体に対する照射範囲を調節することまでは考慮されていない。
【特許文献１】特開２００５−１４８２８２号公報
【発明の開示】
【発明が解決しようとする課題】
【０００６】
本発明が解決しようとする問題点は、カメラ用水中ケース内に内蔵ストロボ付きのカメラを収容し、水中において内蔵ストロボ発光下で被写体の近接撮影を行う場合に、被写体にカメラ用水中ケースのレンズ被覆筒部の影を生じさせることがなく、かつ、ストロボからの光の被写体に対する照射範囲を調節することも可能なカメラ用水中ケースに用いる近距離撮影用バウンスアダプタが存在しない点である。
【課題を解決するための手段】
【０００７】
本発明のカメラ用水中ケースに用いる近距離撮影用バウンスアダプタは、内蔵するカメラのレンズ部を対物レンズに対する光透過可能な状態で覆うレンズ被覆筒部と、カメラ内蔵ストロボ光の透過窓と、ケースシュー部とを備えるとともに、内蔵するカメラの外周全体を覆うカメラ用水中ケースに用いる近距離撮影用バウンスアダプタであって、前記ケースシュー部に対して着脱可能に装着される取付基部と、この取付基部により基端側が回動可能に支持され、突出端側が前記レンズ被覆筒部の前方位置からケースシュー部の上方位置に亘る範囲に変位してレンズ被覆筒部に臨む面に設けた反射面により前記透過窓を透過するカメラ内蔵ストロボ光の照射領域を変更するバウンスプレートと、を有することを最も主要な特徴とする。
【発明の効果】
【０００８】
請求項１記載の発明によれば、カメラ用水中ケースのケースシュー部に装着される取付基部により、バウンスプレートの基端側を回動可能に支持し、その突出端側をレンズ被覆筒部の前方位置からケースシュー部の上方位置に亘る範囲に変位可能に構成し、バウンスプレートのレンズ被覆筒部に臨む面に設けた反射面により透過窓を透過するカメラ内蔵ストロボ光の照射領域を変更するものであるから、水中において内蔵ストロボ発光下で被写体の近接撮影を行う場合に、レンズ被覆筒部の影を被写体に生じさせないようにすることができ、レンズ被覆筒部の影部分が含まれることのない良質な近接撮影画像を得ることができ、かつ、被写体に対する撮影距離の相違にも対応可能なカメラ用水中ケースに用いる近距離撮影用バウンスアダプタ提供することができる。
【０００９】
請求項２記載の発明によれば、レンズ被覆筒部と、カメラ内蔵ストロボ光の透過窓と、ケースシュー部とを下部から上部に一列に配列した構造のカメラ用水中ケースにおける前記ケースシュー部に装着することで、請求項１記載の発明と同様な効果を奏するカメラ用水中ケースに用いる近距離撮影用バウンスアダプタ提供することができる。
【００１０】
請求項３記載の発明によれば、前記バウンスプレートの形状を突出端側が大寸法で、基端側が小寸法の台形状に形成した構成で、請求項２記載の発明と同様な効果を奏し、かつ、
ストロボからの光の被写体に対する照射範囲を被写体の種々の形状に応じて調節することも可能なカメラ用水中ケースに用いる近距離撮影用バウンスアダプタ提供することができる。
【００１１】
請求項４記載の発明によれば、カメラ用水中ケースのケースシュー部に装着される取付基部に前記第１軸支部及び第２軸支部を設け、第２軸支部によりバウンスプレートの基端側を上下方向に回動可能に支持し、かつ、第１軸支部のカメラの対物レンズの光軸と同方向に沿う軸線の回りを回動するようにバウンスプレートを支持しているので、カメラ内蔵ストロボ光を上から下へ向けて又は斜下方へ反射してその照射領域を変更することができ、これにより、レンズ被覆筒部と、カメラ内蔵ストロボ光の透過窓と、ケースシュー部とを一列に配列していない構成のカメラ用水中ケースを使用しての被写体の近接撮影の場合にも請求項１記載の発明の場合と同様な効果を奏するカメラ用水中ケースに用いる近距離撮影用バウンスアダプタ提供することができる。
【発明を実施するための最良の形態】
【００１２】
本発明は、カメラ用水中ケース内に内蔵ストロボ付きのカメラを収容し、水中において内蔵ストロボ発光下で被写体の近接撮影を行う場合に、被写体にカメラ用水中ケースのレンズ被覆筒部の影を生じさせることがなく、かつ、ストロボからの光の被写体に対する照射範囲を調節することも可能なカメラ用水中ケースに用いる近距離撮影用バウンスアダプタを提供するという目的を、内蔵するカメラのレンズ部を対物レンズに対する光透過可能な状態で覆うレンズ被覆筒部と、カメラ内蔵ストロボ光の透過窓と、ケースシュー部とを下部から上部に一列に配列するとともに、内蔵するカメラの外周全体を覆うカメラ用水中ケースに用いる近距離撮影用バウンスアダプタであって、前記ケースシュー部に対して着脱可能に装着される取付基部と、この取付基部の一部として設けた前記カメラ用水中ケースの幅方向に沿った軸支部により基端側が上下方向に回動可能に支持され、突出端側が前記レンズ被覆筒部の前方位置からケースシュー部の上方位置に亘る範囲に変位してレンズ被覆筒部に臨む面に設けた反射面により前記透過窓を透過するカメラ内蔵ストロボ光を上から下へ向けて反射しその照射領域を変更する突出端側が大寸法で、基端側が小寸法の台形状に形成したバウンスプレートと、を有する構成により実現した。
【実施例】
【００１３】
以下に、本発明の実施例に係るカメラ用水中ケースに用いる近距離撮影用バウンスアダプタについて図１乃至図４を参照して詳細に説明する。
【００１４】
本実施例に係る近距離撮影用バウンスアダプタ１は、図１、図２に示すように、デジタルカメラ等のようなカメラ３１を収容するカメラ用水中ケース２１のケース本体２２に設けたケースシュー部２５に対して着脱可能に装着されて使用されるものである。
【００１５】
すなわち、前記カメラ用水中ケース２１は、ケース本体２２の前面側において内蔵ストロボ３３を備えるカメラ３１のレンズ部３２を対物レンズに対する光透過可能な状態で覆うレンズ被覆筒部２３と、内蔵ストロボ３３からのストロボ光の透過窓２４と、ケースシュー部２５とを下部から上部に一列に配列している。
【００１６】
前記ケースシュー部２５は、ケース本体２２のレンズ被覆筒部２３、透過窓２４の真上に設けた上面が平坦な装着受部２６と、この装着受部２６に設けた前記カメラ３１の対物レンズの光軸と同方向で前面側（透過窓２４側）が開口した真直ぐなガイド溝２７と、装着受部２６の下側でかつガイド溝２７に連通する前面側が開口した受穴部２８と、を具備している。
【００１７】
前記近距離撮影用バウンスアダプタ１は、前記ケースシュー部２５に対して着脱可能に装着される取付基部２と、この取付基部２により基端１１ａ側が上下方向に回動可能に支持されたバウンスプレート１１と、を有している。
【００１８】
前記取付基部２は、前記ケースシュー部２５における装着受部２６の上面に下面が当接する当接基体３と、ガイド溝２７によりガイドされるガイド胴部４と、受穴部２８内に没入させる没入体５とを一体構成とするとともに、当接基体３の上側に薄型直方体状のプレート支持体６を設け、このプレート支持体６の突出端側に前記カメラ用水中ケース２１の幅方向に沿ったバウンスプレート１１用の軸支部７を一体に設けている。
【００１９】
前記バウンスプレート１１は、図１に示すように、突出端１１ｂ側が大寸法で、基端１１ａ側が小寸法の台形状に形成され、基端側１１ａに配置した回動連結体１２を前記軸支部７により回動可能に支持させるとともに、前記軸支部７の外側に配置した操作円盤１３を回動操作することで、図４に示すように、突出端１１ｂ側が前記レンズ被覆筒部２３の前方位置からケースシュー部２５の上方位置に亘る範囲に変位するように構成している。
【００２０】
図４に示すように、前記バウンスプレート１１をケースシュー部２５の上方位置に回動変位した際には、このバウンスプレート１１は、内蔵ストロボ３３のストロボ光照射角θの範囲外となり、近接撮影以外の撮影時におけるストロボ光に影響を与えることは皆無となる。
【００２１】
また、前記バウンスプレート１１をレンズ被覆筒部２３の前方位置に臨ませた状態では、前記バウンスプレート１１のレンズ被覆筒部２３に臨む面に設けた白色又は銀色等に色付けした反射面１１ｃにより前記透過窓２４を透過する内蔵ストロボ３３のストロボ光を上から下へ向けて反射し、これにより、被写体１０に対する照射領域を変更し得るように構成している。
【００２２】
次に、本実施例に係る近距離撮影用バウンスアダプタ１を使用した被写体１０に対する近接撮影動作について、図２、図３をも参照して説明する。
図２に示すように、内蔵ストロボ３３を有する前記カメラ３１をカメラ用水中ケース２１内に収納し、この状態で水中にて内蔵ストロボ３３を発光させ被写体１０の近接撮影を行う。このとき、前記前記近距離撮影用バウンスアダプタ１におけるバウンスプレート１１の位置は、図２に示すように、レンズ被覆筒部２３の前方上方位置で、かつ、ストロボ光照射角θの範囲内とする。
【００２３】
このようなバウンスプレート１１の配置により、内蔵ストロボ３３からのストロボ光の一部は前記反射面１１ｃにより下方に向けて反射され、この結果、レンズ被覆筒部２３により遮られる内蔵ストロボ３３からの直接光が届かない被写体１０の表面を反射光により明るく照射し、前記レンズ被覆筒部２３による影を生じさせない状態となる。
【００２４】
このような本実施例の態様での近接撮影の実行によって、図３に示すように、前記被写体１０の撮影画像１０Ａは、その表面にレンズ被覆筒部２３の影部分が表出しない良好な画質を有するものとなる。尚、図３中、１０Ｂは被写体１０の底部に生じる影像である。
【００２５】
また、前記操作円盤１３を回動操作してバウンスプレート１１のレンズ被覆筒部２３の前方での回動位置を種々変更することもでき、近接撮影時の被写体１０の前記レンズ被覆筒部２３の突出端面からの位置の相違にも対応できる。
【００２６】
さらに、前記バウンスプレート１１の形を突出端１１ｂ側が大寸法の台形状としているので、ストロボ光照射角θに応じたストロボ光の広がりに対応してこのストロボ光を下方に反射でき、形状が種々に相違する被写体１０の近接撮影にも広範に対応することができる。
【００２７】
次に、図５、図６を参照して本実施例に係る近距離撮影用バウンスアダプタ１の変形例にいて説明する。
【００２８】
図５、図６は変形例の近距離撮影用バウンスアダプタ１Ａを示すものであり、この近距離撮影用バウンスアダプタ１Ａは、既述した場合と同様な当接基体３、ガイド胴部４、没入体５及びプレート支持体６を備えるとともに、前記プレート支持体６に取り付けた前記カメラ３１の対物レンズの光軸と同方向に沿う配置の第１軸支部４１と、この第１軸支部４１により回動可能に支持された前記カメラ用水中ケース２１の幅方向に沿う配置の第２軸支部４２とを具備する取付基部２Ａと、この取付基部２Ａにより支持された上述した場合と同様なバウンスプレート１１とを有している。
【００２９】
すなわち、変形例の近距離撮影用バウンスアダプタ１Ａのバウンスプレート１１は、前記回動連結体１２を介してその基端１１ａ側が第２軸支部４２により上下方向に回動可能に支持され、突出端１１ｂ側が前記レンズ被覆筒部２３の前方位置からケースシュー部２５の上方位置に亘る範囲に変位するとともに、第２軸支部４２とともに前記第１軸支部４１により回動支持されてその軸線の回りを回動変位し、前記レンズ被覆筒部２３に臨む面に設けた反射面１１ｃにより前記透過窓２４を透過する内蔵ストロボ３３からのストロボ光を上から下へ向けて又は図６に示すように斜下方へ反射して、前記被写体１０に対する照射領域を多様に変更し得るように構成している。
【００３０】
図５、図６に示す変形例の近距離撮影用バウンスアダプタ１Ａによれば、レンズ被覆筒部２３と、ストロボ光の透過窓２４と、ケースシュー部２５とを上下一列に配列していない構成のカメラ用水中ケース（図示せず）を使用しての被写体１０の近接撮影の場合にも、上述した実施例の近距離撮影用バウンスアダプタ１の場合と同様な効果を発揮させることができる。
【産業上の利用可能性】
【００３１】
本発明の近距離撮影用バウンスアダプタは、カメラ用水中ケースを用いた水中での近接撮影の場合に好適である他、内蔵ストロボを有するカメラ自体に設けたアクセサリーシューに装着して陸上で通常の近接撮影を行う場合にも好適に応用可能である。
【図面の簡単な説明】
【００３２】
【図１】本発明の実施例に係るカメラ用水中ケースに用いる近距離撮影用バウンスアダプタ及びカメラを示す斜視図である。
【図２】本実施例に係る近距離撮影用バウンスアダプタを使用して被写体を撮影する状態を示す概略説明図である。
【図３】本実施例に係る近距離撮影用バウンスアダプタを使用して内蔵ストロボ発光状態で被写体を撮影した場合の撮影画像例を示す概略図である。
【図４】本実施例に係る近距離撮影用バウンスアダプタにおけるバウンスプレートのカメラ用水中ケースに対する回動状態を示す説明図である。
【図５】本実施例に係るカメラ用水中ケースに用いる近距離撮影用バウンスアダプタの変形例を示す斜視図である。
【図６】本実施例に係るカメラ用水中ケースに用いる近距離撮影用バウンスアダプタの変形例においてバウンスプレートを回動した状態を示す斜視図である。
【図７】カメラ用水中ケース内に収容したカメラの内蔵ストロボによるストロボ光の照射角を示す説明図である。
【図８】カメラ用水中ケース内に収容したカメラの内蔵ストロボ発光状態で撮影した被写体の撮影画像例を示す概略図である。
【符号の説明】
【００３３】
１    近距離撮影用バウンスアダプタ
１Ａ  近距離撮影用バウンスアダプタ
２    取付基部
２Ａ  取付基部
３    当接基体
４    ガイド胴部
５    没入体
６    プレート支持体
７    軸支部
１０    被写体
１０Ａ  撮影画像
１０Ｂ  影像
１１    バウンスプレート
１１ａ  基端
１１ｂ  突出端
１１ｃ  反射面
１２    回動連結体
１３    操作円盤
２１    カメラ用水中ケース
２２    ケース本体
２３    レンズ被覆筒部
２４    透過窓
２５    ケースシュー部
２６    装着受部
２７    ガイド溝
２８    受穴部
３１    カメラ
３２    レンズ部
３３    内蔵ストロボ
４１    第１軸支部
４２    第２軸支部
θ    ストロボ光照射角
【図１】
2009014879.tif 000003
【図２】
2009014879.tif 000004
【図３】
2009014879.tif 000005
【図４】
2009014879.tif 000006
【図５】
2009014879.tif 000007
【図６】
2009014879.tif 000008
【図７】
2009014879.tif 000009
【図８】
2009014879.tif 000010